(57)【要約】      （修正有）【課題】花粉症・インフルエンザ等のウイルスや細菌によるアレルギー症状、感染症を予防するために必要なマスクを提供する。【解決手段】吸気と呼気をビニール弁等で遮蔽し、呼気と共に排出される熱気をマスク下部で遮断。マスク使用時の咽の乾きや、熱さ（特に夏場）による息苦しさを解消する。マスクに併用又は、一体型整形による吸氣と呼気を分別呼吸するように鼻と口の間に弁を張った仕様。帽子の鍔状防水性遮蔽幕付き円筒形防水性（不通気性）遮蔽壁８により吸氣と呼気を分別可能な独立した帯状本体とからなる吸・呼気・分別マスク。【選択図】図６
0003104193.tif 000002
【実用新案登録請求の範囲】
【請求項１】
１，ノーズ・ブリッジ、チーク・ブリッジ付きマスク・当てガーゼ・綿布・フィルター・ポリプロピレン不織布・ウーリーナイロン紐等、各種適材を用いたマスク本体。２，別途にマスク本体の横幅と同寸、細い約２センチメートルの帯状本体。帯状本体上部に横長のチーク・ブリッジを内包。防水ビニールにより帽子の鍔状防水性遮蔽幕と一体縫製の直径約２センチメートル、円筒状防水性遮蔽壁を中心線・両鼻翼から左右へ３センチメートルまで配置した縫製。それを両横え支える厚芯入り支え布。支え布をマスク本体両サイドへ、縫合又は、高周波ミシンで固着する仕様の１，のマスク本体と２、帯状本体の併合。３，個別に独立した帯状本体。４，マスクの上部（吸気部）、下部（呼気部）の間を、防水性（不通気性）ビニール等による遮蔽壁を固着・折りたたみ式一体成型の合成繊維・不織布等によるマスク。１，２，３、４以上の組み合わせ構成からなる各種・吸・呼気・分別マスク。
【考案の詳細な説明】
【０００１】
【考案の属する分野】
本考案は、マスク使用時の呼吸法及び吸気・呼気の分別に関するものである。
【０００２】
【従来の技術】
マスク使用に関して、高度な研究も行われており、用途に応じたものを、安心して用いることができるが、一方、呼吸器官機能の衰えた高齢者、高血圧患者などにはやや、窮屈で息苦しさ、顔のほてり、喉の渇き等の理由でインフルエンザ蔓延時にも着用しない人もいる。
【０００３】
【考案が解決しようとする課題】
マスク使用時の感想は先ず、息苦しさ喉の渇き、顔のほてりをを挙げる。呼吸は鼻で吸って口から吐くのが、衛生的で、健康面でも大切なことはテレビ等の医師の話でも多く語られている。中国の太極拳やヨガでも呼吸が如何に大切かも教えてくれている。日本で今流行りのエアロビクスやジョギング他いろいろスポーツも盛んである。必ずどこのコーチも「吸って、吐いて」から始まる。然し、通常は、無意識のうちに鼻と口の両方で呼気も吸気も行っている。スポーツ・コーチは必ず、胸式呼吸ではなく、腹式呼吸を薦めている。又、医療面でも腹式呼吸法を薦めている。腹式呼吸法の効用は、横隔膜が上へ押し上げられ胃や腸の蠕動運動が活発になり。血流も良なり血圧も安定改善がみられると。特に肥満を抑制し便秘の人には好評であると。マスクを着用しても呼気と吸気がマスク内で交じり合い呼気につれて吐き出される熱気でも頭がボーとなったりする。医師の話で腹式呼吸ではなく又、口から空気を吸い続けると腹腔に溜まりいろいろのものが交じり合って、酸化し異常発酵して、膨満感や腹痛、悪臭のあるガスを発生させる。又、他の医師の話には聞き過ごせない重大な問題があった。（何時も鼻と口を開けてで息をしている人には、花粉特に目に見えない細菌・ウイルス等は、口から進入して胃の酸にも死滅することなく腸まで侵入し、人体に悪疫をひろげたり、腸に根付いたりする脅威的症例もあると。やはり吸気は鼻からが無難である。通常、空気は鼻から吸いハウスダスト等汚物はある程度、鼻毛・鼻粘膜で濾過？し気管を通って肺にたっするのが正常で健康的である。従来からのものは使用時、呼気に混じって排出される熱気もマスク内にこもって熱さと息苦しさ、喉の渇きを助長する。高齢者・高血圧の人は重篤な事態も引き起こしかねないのである。
【０００４】
【課題を解決するための手段】
本考案は、マスク上部の鼻孔部分にのみ当てガーゼ（綿布・ポリプロピレン不織布・レーヨン不織布・防水性ビニール・ウーリーナイロン）を用い、別途、請求項１記載の帯状本体上部にはチーク・ブリッジを内包。鼻孔の下部と上唇部の間に直径約１．５から２センチメーチル、両鼻翼の横３センチメートル内に、防水性ビニールによりエア（呼気）遮蔽用の帽子の鍔状防水性遮蔽幕付き、円筒状防水性遮蔽壁を配置、その横の帯状本体・厚地芯の支え布をマスク両端に縫合・固着したことにより、鼻の高さにはサイズを段階的に設定すること又、当てガーゼを重ねることで対応する。此れにより、本考案になる吸・呼気・分別マスクは使用時の顔の熱さ、息苦しさ、喉の渇きなどを解消し、一度排出した自らの呼気を再び吸い込むことなく、新鮮で綺麗な空気をマスク上部から吸気できる。自らの排出した呼気は鍔状遮蔽幕・マスクの下部を通して散消。息苦しさや顔のほてり喉の渇きも解消、快適さを提供することにより上記課題を解決したものである。
【０００５】
【実施例】
本来の目的である花粉・インフルエンザ・ウイルス等の空気・飛沫感染を人に移さず、移されないための予防に資するためのものである。本考案は、平成７・８年頃からの一連のマスク研究の結果の産物（アイディア）であり、意匠出願をした「アイマスクと連結したマスク」「家紋等・紋様入りマスク」等が有ります。この度のマスクは、本体と併合してなるもの、別個独立し、洗って使える帯状遮蔽幕付き本体、請求項１＝２・４の合成樹脂・綿布等（図３）（図６）の縫合仕様・一体成型仕様のものとがあり、呼吸法も主に、腹式呼吸に対応したものである。鼻で空気を吸い直接お腹へ送り込み、口から吐き出す呼吸をするとき最大の効力が得られる。
【０００６】
自らの吐き出した汚れた・・熱気のある呼気をマスク内で充満させないように、又、一度吐き出した呼気を再び気管・肺に送り込まないようにして、綺麗な空気だけを鼻から吸い込むことを目的とする考案である。
【０００７】
【考案の効果】
本考案による吸・呼気・分別マスク着用により体内から吐き出す呼気を再び吸うことなく新しい空気をガーゼ、不織布で濾過しつつ吸うことが出来る。世の中排気ガスや、花粉、雑菌が溢れており、高齢者、いろいろな症状をもっている人。体力の無い人、風邪を引いてしまった人も他に蔓延しないようにするためにも他からの感染を防ぐためにも、手洗い、うがい、マスクは必需品であり、本考案と腹式呼吸法を取り入れることで更に病気予防の確実性を高めることが出来る。
【図面の簡単な説明】
【図１】本発明  吸・呼気・分別マスク背面で顔面に接する側の平面図である。
【図２】着用状態を示す立体透視図である。
【図３】帯状本体・マスク本体装着前の立体解明図である。
【図４】帯状本体図３の横断面図である。
【図５】吸・呼気・分別マスク素養時の外観図である。
【図６】個別・（Ｃ  ８）チーク・ブリッジ゛・帯状本体・鍔状防水性遮蔽幕・円筒状防水性遮蔽壁・耳かけ布・耳紐の平面図である。
【図７】個別・帯状本体の着用状態を示す透視図である。
【図８】個別・帯状本体の使用状態を示す外観図である。
【符号の説明】
Ａ  １    ・・・マスク本体
２    ・・・ノーズ・ブリッジ
３    ・・・ダーツ
４    ・・・帯状本体
Ｂ  ５    ・・・透視図
６    ・・・ガーゼ
７    ・・・帽子の鍔状防水性遮蔽幕・
Ｃ  ８    ・・・円筒状防水性遮蔽壁
Ｄ  ９    ・・・帯状本体断面図
Ｅ  １０  ・・・吸・呼気・分別マスク
Ｆ  １１  ・・・チーク・ブリッジ帯状本体
Ｇ  １２  ・・・個別・帯状本体
Ｈ  １３  ・・・個別・帯状本体
【図６】
0003104193.tif 000003
【図７】
0003104193.tif 000004
【図８】
0003104193.tif 000005
【手続補正書】
【提出日】平成15年8月30日(2003.8.30)
【手続補正１】
【補正対象書類名】明細書
【補正対象項目名】実用新案登録請求の範囲
【補正方法】変更
【補正の内容】
【実用新案登録請求の範囲】
【請求項１】
（１）吸・呼気分別マスクにおいては、主に胸式・腹式呼吸の鼻から空気を吸い、口から吐き出す、スポーツや、エアロビクスに用いられる腹式呼吸に対応するものであり、当てガーゼにおいても、鼻腔から上位部分にのみ用いるもので、各種素材を用いたマスク本体に、
（２）マスク内側の鼻下と口唇部の間に、通気を遮断するビニール・不織布芯等を用いた弁膜・壁を一体射出成型法、或いは縫製により取り付けた構成からなるもので、
（３）一体射出成型法による、マスク本体に通気を遮断する弁膜・壁を施した仕様、
（４）従来の既成のマスクに追加・補助的に吸・呼気分別用として用いる時は、別途仕様の、中心部の鼻下と口唇部の間に弁膜・壁を施した幅約２センチメートルの耳紐付き・帯状の仕様とし従来の、既成マスクと併用する（１）（２）（３）（４）以上の構成からなる吸・呼気分別マスク。
【手続補正２】
【補正対象書類名】図面
【補正対象項目名】全図
【補正方法】変更
【補正の内容】
【図１】
0003104193.tif 000006
【図２】
0003104193.tif 000007
【図３】
0003104193.tif 000008
【図４】
0003104193.tif 000009
【図５】
0003104193.tif 000010
【図６】
0003104193.tif 000011
【図７】
0003104193.tif 000012
【図８】
0003104193.tif 000013
【手続補正書】
【提出日】平成15年11月15日(2003.11.15)
【手続補正１】
【補正対象書類名】明細書
【補正対象項目名】実用新案登録請求の範囲
【補正方法】変更
【補正の内容】
【実用新案登録請求の範囲】
【請求項１】
（１）吸・呼気分別マスクにおいては、主に胸式・腹式呼吸の鼻から外気を吸い口から吐き出す、スポーツや、エアロビクスに用いられる腹式呼吸に対応するものではあるが、当てガーゼで、鼻腔の上部・下部位置で調節を可能とし、各種素材を用いた本体に、
（２）マスク内側の鼻下と口唇部の間に、通気を遮断するビニール・不織布等を用いた弁膜・壁を一体射出成型法或は、縫製により取り付けた構成で、
（３）一体射出成型法による立体型マスク本体に通気を遮断する弁膜・壁（図１）を施した仕様、
（４）市販のマスクに（吸・呼気分別マスク）を併用する為の耳紐付き帯状（約２０ｍｍ）幅の中芯部の鼻下と口唇部の間に通気を遮断する弁膜・壁（図４）を一体射出成型・縫製仕様の、呼気と共に排出する熱気・体内を一巡して汚染した呼気を再び吸い込まないため、又、マスク着用時の息苦しさからの解放を目的とした（１）（２）（３）（４）以上の構成からなる吸・呼気分別マスク。
【手続補正書】
【提出日】平成16年1月24日(2004.1.24)
【手続補正１】
【補正対象書類名】明細書
【補正対象項目名】実用新案登録請求の範囲
【補正方法】変更
【補正の内容】
【実用新案登録請求の範囲】
【請求項１】
（１）吸・呼気分別マスクにおいては、主に胸式・腹式呼吸の鼻から外気を吸い口から吐き出す、スポ−ツや、エアロビクスに用いられる腹式呼吸に対応するものではあるが、当てガ−ゼ等で鼻腔の上部・下部位置で調節を可能とし、各種素材を用いた、
（２）マスク本体・外面及び内面の内側面、鼻下と口唇部の間に、通気を遮断するビニル・不織布等で弁膜・壁を一体射出成型法或いは、縫製により取り付ける構成及び、
（３）不織布等伸縮性素材による立体型マスク本体に通気を遮断する弁膜又、壁を一体射出成型法等により施した仕様、
（４）マスクに（吸・呼気分別マスク）を併用する為の耳紐付き帯状（約２０ｍｍ）幅の本体・中心部の鼻下と口唇部の間に通気を遮断する弁膜・壁（図４）を一体射出成型法或いは、縫製仕様の、体内を一巡して汚染した呼気と共に排出する熱気を再び吸い込まないよう、又、マスク着用時の熱気による息苦しさからの解放を目的とした（１）（２）（３）（４）以上の構成からなる吸・呼気分別マスク。
【手続補正書】
【提出日】平成16年4月12日(2004.4.12)
【手続補正１】
【補正対象書類名】明細書
【補正対象項目名】実用新案登録請求の範囲
【補正方法】変更
【補正の内容】
【実用新案登録請求の範囲】
【請求項１】
吸・呼気分別マスクにおいて、マスク着用時の息苦しさ・顔のほてり・眼鏡の曇り等の問題点があるが、本考案は、吸気部と呼気部を仕切ることにより上記、問題点を解決しようとするもので、（１）ガーゼ・不織布・伸縮性素材を用い、着用時マスク内に吐き出される呼気と呼気と共に排出する汚染した炭酸ガス・熱気が、鼻腔部えの上昇・対流、更に鼻腔から再度、吸気として吸い込まぬよう鼻下と口唇部の間に、通気を遮断するための機能を施すものであり、成型法による立体型マスクには、ビニールにより通気遮断弁を、ガーゼ及び不織布・伸縮性素材によるマスクにおいては、直径１．４センチメ−トル、長さ４センチメ−トルの円筒形、表面をビニ−ルコ−トした通気遮蔽壁を鼻下と口唇部位置に縫製により固定、（２）又、手持ちのマスクと併用することが可能となる、吸・呼気分別機能を別途に独立したもの及び、マスク本体よりはみ出さない、耳紐付き帯状形態の鼻唇溝を中心として左右に、鼻下と口唇部の間に通気遮蔽壁を縫合、マスク・当てガーゼと重ねて用いる（１）（２）以上の構成からなる吸・呼気分別マスク。